(57)【要約】拡張された別のネットワーク情報（ＥＯＮ）を用いて受信中の放送局とは異なる放送局による特定の放送番組に割り込んで受信するＦＭ多重放送受信装置であって、異なる放送局による特定の放送番組が開始されたことの通知を受けて、受信エリアが限定された異なる放送局をサーチした結果、受信不可と判定された場合に異なる放送局を以降のサーチ対象から除外する制御部２０を備えて構成される。
2009008113.tif 000002
【特許請求の範囲】
【請求項１】
拡張された別のネットワーク情報を用いて受信中の放送局とは異なる放送局による特定の放送番組に割り込んで受信するＦＭ多重放送受信装置であって、
前記異なる放送局による特定の放送番組が開始されたことの通知を受けて、受信エリアが限定された前記異なる放送局をサーチした結果、受信不可と判定された場合に前記異なる放送局を以降のサーチ対象から除外する制御部、
を有することを特徴とするＦＭ多重放送受信装置。
【請求項２】
前記制御部は、
前記異なる放送局がサーチ対象から除外された放送局であることを示す標識情報を有し、
受信中の放送局から送信される特定のコードを参照して前記異なる放送局による特定の番組の放送エリアが限定されているか否かを判定し、前記放送エリアが限定されている場合に前記標識情報を参照してサーチ対象から除外されていないか、もしくは前記放送エリアが限定されていなければ音声出力をミュートして前記異なる放送局のサーチを行なうことを特徴とする請求項１記載のＦＭ多重放送受信装置。
【請求項３】
ＦＭ多重放送波の受信品質を検出する受信品質検出部と、
前記ＦＭ多重放送波の音声信号成分に重畳され、分離されるデータ信号成分を前記制御部が判読可能なデータに変換するデコーダと、を備え、
前記制御部は、
前記受信品質検出部から出力される受信品質と、前記デコーダから出力される特定のデータを取得して、受信品質が優れサーチ対象となる特定のデータを有する周波数を有する放送局をサーチすることを特徴とする請求項１記載のＦＭ多重放送受信装置。
【請求項４】
前記制御部は、
前記異なる放送局のサーチの結果、サーチ対象となる特定のコードを有する放送局による放送番組が受信できたか否かを判定し、受信できた場合に前記ミュートを解除し、受信できていなかった場合に前記標識情報を所定の値に設定して以降のサーチ対象から除外することを特徴とする請求項２記載のＦＭ多重放送受信装置。
【請求項５】
前記制御部は、
受信品質が悪化した場合に受信品質の良い他の放送局に切り替わったことを契機に前記標識情報を更新して前記異なる放送局をサーチ対象に復帰させることを特徴とする請求項２記載のＦＭ多重放送受信装置。
【発明の詳細な説明】
【技術分野】
【０００１】
この発明は、拡張された別のネットワーク情報（以下、ＥＯＮ情報という）を用いて受信中の放送局とは異なる放送局による特定の放送番組に割り込んで受信する、ＦＭ多重放送受信装置に関するものである。
【背景技術】
【０００２】
車載用ラジオ受信装置は、車両の移動に伴い放送局のサービスエリアから外れることがあり、このときユーザは、選局キーを操作することにより受信可能な放送局の再選局を行なう必要がある。受信可能な放送局の再選局を容易にするため、欧州では、ＲＤＳ（Radio Data System）受信機が普及している。【０００３】
ＲＤＳ放送は、ＦＭラジオ放送にデジタルデータ（以下、ＲＤＳデータという）を多重化して送信しており、このＲＤＳデータには、放送番組識別コード（以下、ＰＩコードという）が備えられている。ＰＩコードは、１６ビットで構成されており、第２ニブル目の４ビットに地域コードが割り当てられていることが知られている。
ＲＤＳデータには、さらに、例えば、クラッシック、ロック、ポピュラー等の複数のジャンル毎に個別のコードが付与されるジャンル識別コード（以下、ＰＴＹコードという）、同一のプログラムを放送する他の放送局を知らせるための代替局周波数コード（以下、ＡＦコードという）、放送局名コード（以下、ＰＳコードという）、放送中の放送局とは異なる放送局の情報であるＥＯＮ情報（Enhanced Other Networks Information：拡張された別のネットワーク情報）も含まれている。【０００４】
一方、ＲＤＳ受信機の機能の一つとして、予めユーザが設定した、例えば、交通情報や特定ＰＴＹ番組を、放送中の放送局とは異なる放送局に自動的に割込み受信できる機能（以下、ＥＯＮ割込みという）がある。
ＥＯＮ割込みは、ＲＤＳデータの１４Ａ、１４ＢグループからなるＥＯＮ情報を利用して、他の放送局で交通情報や特定ＰＴＹ番組の放送が開始されたことを検出し、現在受信中の放送局から他の放送局をサーチし、当該サーチした放送局で受信可能であれば交通情報等が放送中であるか否かを判定し、放送中であれば割込み受信する機能をいう。【０００５】
上記したＥＯＮ割込み機能において、例えば、他の放送局で交通情報が開始されたことの情報を得た場合、その放送局を受信するためにサーチ処理を実施する必要があるが、このサーチ処理の間、音声が途切れるという問題があった。
このような問題を軽減するために、従来、他の放送局をサーチする処理の高速化をはかるラジオ放送の自動選局方法が提案されている（例えば特許文献１参照）。【０００６】
【特許文献１】特開平８−２２２９９６号公報
【０００７】
上記した特許文献１に開示された技術によれば、ＲＤＳ放送において、強制的に特定の放送番組に切替えるモード時、常にＡＦリスト内の最上位局を受信できるように構成するとともに、サーチ処理を高速化して受信不能状態を短縮し、効率的に最良の受信状態を確保することができる。
しかしながら、上記構成によれば、サーチ処理実施中はその期間がいくら短くても音声をミュートする等の処理が必要となり、仮に、サーチに失敗して他の放送局の受信ができずに、再度自局に戻ってサーチ処理を終了した場合、不要な音切れを発生させることになり、ユーザにとって聴感上好ましくない状態が発生する。【０００８】
この発明は上記した課題を解決するためになされたものであり、受信不能の可能性が高い他の放送局に対するサーチの実施機会を低減しながら受信可能な他の放送局の受信機会を維持して不要な音声ミュートの機会を減らし、利便性の向上をはかった、ＦＭ多重放送受信装置を提供することを目的とする。
【発明の開示】
【０００９】
上記した課題を解決するためにこの発明のＦＭ多重放送受信装置は、拡張された別のネットワーク情報を用いて受信中の放送局とは異なる放送局による特定の放送番組に割り込んで受信するＦＭ多重放送受信装置であって、前記異なる放送局による特定の放送番組が開始されたことの通知を受けて、受信エリアが限定された前記異なる放送局をサーチした結果、受信不可と判定された場合に前記異なる放送局を以降のサーチ対象から除外する制御部、を有するものである。
【００１０】
この発明のＦＭ多重放送受信装置によれば、受信不能の可能性が高い他の放送局に対するサーチの実施機会を低減しながら受信可能な他の放送局の受信機会を維持することにより不要な音声ミュートの機会を減らし、利便性の向上をはかることができる。
【図面の簡単な説明】
【００１１】
【図１】この発明の実施の形態１に係るＦＭ多重放送受信装置の内部構成を示すブロック図である。
【図２】この発明の実施の形態１に係るＦＭ多重放送受信装置が使用するメモリのデータ構造の一例を示す図である。
【図３】図１に示す制御部の内部構成を機能展開して示したブロック図である。
【図４】この発明の実施の形態に係るＦＭ多重放送受信装置の動作を示すフローチャートである。
【発明を実施するための最良の形態】
【００１２】
以下、この発明をより詳細に説明するために、この発明を実施するための最良の形態について、添付の図面に従って説明する。
実施の形態１．
図１は、この発明の実施の形態１に係るＦＭ多重放送受信装置の内部構成を示すブロック図である。ここでは、ＦＭ多重放送受信装置としてＲＤＳ受信機が例示されている。
図１に示されるように、ＲＤＳ受信機１０は、アンテナ１１、フロントエンド１２、ＦＭ検波部１３、マルチプレクス（ＭＰＸ）復調回路１４、ミューティング回路１５、ＰＬＬ（Phase Locked Loop）回路１６、受信品質検出部１７、バンドパスフィルタ１８、ＲＤＳデコーダ１９、制御部２０、メモリ２１を有している。【００１３】
上記したＲＤＳ受信機において、アンテナ１１で受信されたＦＭ多重放送波は、フロントエンド１２で希望の局が選択され、中間周波数（ＩＦ）に変換された後、ＦＭ検波部１３に供給される。
フロントエンド１２は、プログラマブル分周器を含むＰＬＬ回路１６により制御され、ユーザによる操作の下で制御部２０が分周比を設定することで選局動作が行なわれる構成になっている。ＦＭ検波部１３の検波出力は、ＭＰＸ復調回路１４に供給され、ステレオ放送の場合には、Ｌ（左）、Ｒ（右）チャンネルの信号に分離され、ミューティング回路１５を経て、不図示のオーディオアンプに出力される。【００１４】
また、ＦＭ検波部１３の検波出力は、例えば、５７ｋＨｚのバンドパスフィルタ１８を通過することにより、ＲＤＳデータ信号が抽出され、ＲＤＳデコーダ部１９に入力され、制御部２０で判別可能なＲＤＳデータに変換される。
制御部２０は、受信局の情報（ＰＩコードや周波数情報）をメモリ２１に格納する。なお、ＲＤＳデータのうち、１４Ａ、１４Ｂグループには、自局に関する情報と、自局とＥＯＮを組む放送局のうち、ある１つの放送局（以下、ＥＯＮ局という）に関する情報とが格納されている。【００１５】
具体的に、図２にメモリ２１のデータ構造の一例が示されるように、メモリ２１には、ＲＤＳデータ２１０として、１４Ａ、１４Ｂグループから得たＥＯＮ局のＰＩコード、および周波数データ情報が所定の領域に割当てられ記憶される。勿論、現在はＥＯＮ局であっても、過去に自局として得た情報を記憶しておいてもよい。ここでＰＩコードとは、放送番組識別コードであり、周波数データｆA1、ｆA2、…は、同一番組が実施されている可能性のある周波数群である。
また、各放送番組に対応してＥＯＮ割込み禁止フラグ２１１（標識情報）も割り付けられ記憶される。ここで、ＥＯＮ割込み禁止フラグ２１１とは、異なる放送局（ＥＯＮ局）がサーチ対象から除外された放送局であることを示す標識情報であり、具体的には後述するように、周波数データを利用してＥＯＮ局をサーチしても、受信できるＥＯＮ局がないと判定された場合に、値“１”が設定される。【００１６】
説明を図１に戻し、受信品質検出部１７は、ＦＭ検波部１３から出力されるＩＦ信号に基づいて、例えば、一般的なラジオが有する検出器である「電界強度検出器」、「マルチパス歪み検出器」、「超音波ノイズ検出器（隣接妨害検出用）」等のいずれかひとつ、もしくはこれらを組み合わせたものを用いて受信品質を検出する。受信品質検出部１７によって検出された受信品質に関する情報は制御部２０に出力される。制御部２０は、周波数データｆA1，ｆA2…ｆF7を利用してＥＯＮ局をサーチする際、受信品質が予め規定された値（所定値）を越えているか否かにより判定し、ミューティング回路１５、およびＰＬＬ回路１６を制御する。【００１７】
図３は、図１に示す制御部２０の内部構成を機能展開して示したブロック図である。図３に示されるように、制御部２０は、主制御部２００と、ＰＩコード検出部２０１と、地域コード検出部２０２と、ＥＯＮ割込み判定部２０３と、ミュート制御部２０４と、サーチ制御部２０５とにより構成される。【００１８】
主制御部２００は、制御部２０が、異なる放送局による特定の放送番組が開始されたことの通知を受けて、受信エリアが限定された異なる放送局をサーチした結果、受信不可と判定された場合に異なる放送局を以降のサーチ対象から除外する機能を実現するための制御中枢となり、これを実現するために、図４のフローチャートに示されるように、ＰＩコード検出部２０１、地域コード検出部２０２、ＥＯＮ割込み判定部２０３、ミュート制御部２０４、サーチ制御部２０５のシーケンス制御を司る。【００１９】
ＰＩコード検出部２０１、および地域コード検出部２０２は、受信中の放送局から送信される特定のコードを参照して、異なる放送局（ＥＯＮ局）による特定の番組の放送エリアが限定されているか否かを検出してＥＯＮ割込み判定部２０３に引き渡す。ＥＯＮ割込み判定部２０３は、放送エリアが限定されている場合、メモリ２１に格納されたＥＯＮ割込み禁止フラグ２１１を参照してサーチ対象から除外されていない場合は、ミュート制御部２０４およびサーチ制御部２０５を制御して、音声出力のミュート、および異なる放送局のサーチを行なわせる。【００２０】
なお、主制御部２００には、放送波の受信品質を検出する受信品質検出部１７から受信品質が、およびＲＤＳデコーダ１９から特定のデータ（例えば交通情報放送中）が供給されており、これらデータをサーチ制御部２０５に提供し、これを受けてサーチ制御部２０５は、受信品質が優れサーチ対象となる特定のデータを有する周波数を有する放送局をサーチすることができる。
主制御部２００はまた、異なる放送局（ＥＯＮ局）のサーチの結果、サーチ対象となる特定のコードを有する放送局による放送番組が受信できたか否かを判定し、受信できた場合にはミュート制御部２０４を制御してミューティグ回路１５によるミュートを解除し、受信できていなかった場合に、メモリ２１の所定の領域に割当てられ記憶される標識情報（ＥＯＮ割込み禁止フラグ２１１）を所定の値を設定し（ここでは“１”）、当該ＥＯＮ局を以降のサーチ対象から除外する機能を有する。【００２１】
主制御部２００はさらに、受信品質検出部１７からのデータに基づき、受信品質が悪化した場合に受信品質の良い他の放送局（ＡＦ局）に切り替わったことを契機に、ＥＯＮ割込み禁止フラグ２１１を更新（“０”設定）し、当該ＥＯＮ局をサーチ対象に復帰させる機能も合わせ持つ。【００２２】
図４は、この発明の実施の形態１に係るＦＭ多重放送受信装置の動作を示すフローチャートであり、ここでは、ＥＯＮ割込み処理のみを抽出して示してある。以下、図４に示すフローチャートを参照しながら図１〜図３に示すＲＤＳ受信機１０のＥＯＮ割込み動作について詳細に説明する。【００２３】
受信中の放送局のＲＤＳデータは、ＲＤＳデコーダ部１９から制御部２０へ出力されている。ＲＤＳデータのうち、１４Ａ、１４Ｂグループには、上記したように、自局に関する情報と、ＥＯＮ局に関する情報とが格納されている。
制御部２０は、受信した１４Ａ、１４Ｂグループから、ＥＯＮ局で、例えば、交通情報番組の放送が開始されたことを検出すると、以下に説明するＥＯＮ割込み処理を開始する。【００２４】
制御部２０（主制御部２００）は、まず、サーチ対象のＥＯＮ局の地域コード（ＰＩコードに含まれている）が、放送エリアの限定されているコードであるか否かを判定する（ステップＳＴ４１）。ここで、地域コードの定義は、“０”：ローカル、“１”：インターナショナル、“２”：ナショナル、“３”：スーパーリージョナル、“４”〜“Ｆ”：リージョナルであり、したがって、“１”→“２”→“３”→“４”〜“Ｆ”→“０”の順に放送範囲が狭くなることを意味する。【００２５】
そこで、例えば、“１”〜“３”を広範囲で放送されている地域コード、“０”および“４”〜“Ｆ”は限定された地域でのみ放送されている地域コードと定義すれば、放送エリアの限定されている地域コードか否かを判定する基準は、地域コードが“１”〜“３”ならばＹｅｓ、そうでなければＮｏとなる。ここで、主制御部２００は、ＰＩコード検出部２０１および地域コード検出部２０２により検出されたＥＯＮ局の地域コードから、放送エリアが限定されたＥＯＮ局であると判定されると、そのＥＯＮ局がＥＯＮ割込み禁止局か否かを、メモリ２１に割り付けられ記憶されるＥＯＮ割込み禁止フラグ２１１を参照することにより判定する（ステップＳＴ４２）。【００２６】
ここで、放送エリアが限定されたＥＯＮ局でない、つまり、広範囲で放送されているＥＯＮ局であると判定された場合（ステップＳＴ４１“Ｎｏ”）、サーチにより受信できる可能性があるため、サーチ処理中の異音を防止するための前処理として、主制御部２００は、ミュート制御部２０４を制御してミューティング回路１５を起動して音声ミュートをオンにする処理を実行する（ステップＳＴ４３）。
一方、ＥＯＮ割込み禁止フラグ２１１を参照した結果、ＥＯＮ割込み禁止局であると判定されると（ステップＳＴ４２“ＹＥＳ”）、サーチ処理を実施してもＥＯＮ局を受信できる可能性が低いため、主制御部２００は、サーチ処理部２０５を起動することなく、したがって、サーチ処理を実施することなくＥＯＮ割込み処理を終了する。【００２７】
なお、ＥＯＮ割込み禁止局でなければ（ステップＳＴ４２“Ｎｏ”）、サーチ処理にてＥＯＮ局が受信できる可能性があるため、サーチ処理中の異音を防止するための前処理として、主制御部２００は、ミュート制御部２０４を制御してミューティング回路１５を起動して音声ミュートをオンにする処理を実行し（ステップＳＴ４３）、また、サーチ処理部２０５を起動してメモリ２１の所定の領域に記憶されているＲＤＳデータ２１０に登録されているＥＯＮ局のＰＩコードに対応した周波数群に対し、サーチ処理を実施する（ステップＳＴ４４）。【００２８】
ここで、サーチ処理とは、それぞれの周波数に対し、制御部２０（サーチ処理部２０５）がＰＬＬ回路１６に分周比を設定することで選局動作を行ない、選局完了後に受信品質検出部１７から出力される受信品質と、ＲＤＳデコーダ１９から出力されるＲＤＳデータから検出されるＰＩコードの情報を取得し、最も受信品質が優れており、かつサーチ対象のＰＩコードを持つ周波数を選び出す処理である。仮に、ステップＳＴ４４のＥＯＮ局サーチ処理でメモリ２１のＲＤＳデータ３１０にサーチ対象のＰＩコードを有する放送局の周波数情報が記憶されていなければ、サーチ処理を実施せず、ステップＳＴ４４の処理を終了する。【００２９】
主制御部２００は、ステップＳＴ４４のサーチ処理の結果、サーチ対象のＰＩコードを持つ放送局が受信できたか否かを判定し（ステップＳＴ４５）、ここで受信できなければ、メモリ２１の所定の領域に割当てられ記憶された標識情報であるＥＯＮ割込み禁止フラグ２１１に値“１”をセットし、当該ＥＯＮ局をＥＯＮ割込み禁止状態に設定する（ステップＳＴ４６）。
図２は、メモリ２１に記憶されるＲＤＳデータ２１０のＥＯＮ局のＰＩコード、周波数データ情報およびＥＯＮ割込み禁止フラグ２１１の情報を示しており、例えば、放送番組Ｄは、ステップＳＴ４６の処理によりＥＯＮ割込み禁止フラグが“１”に設定された放送局であることを示す。その後、主制御部２００は、ミュート制御部２０４を介してミューティング回路１５を制御して音声ミュートをオフ（ＯＦＦ）としてＥＯＮ割込み処理を終了する（ステップＳＴ４７）。【００３０】
ところで、ＲＤＳ放送の場合、上記したようにＲＤＳ受信機は同一番組の放送をしているＡＦデータを得ることができるため、車両の走行に伴い受信品質が悪化してきた場合、受信品質のよい他の放送局（周波数）へ自動的に切り替えることが可能である。換言すれば、受信中の放送局の周波数切り替えが発生したことで、車両が移動して受信状況が変化したと見なすことができる。
そこで、図４のフローチャートには図示省略したが、受信中の放送局の周波数切り替えが発生したことを契機に、図２に示すメモリ２１内のＥＯＮ割込み禁止フラグ２１１の内容を全てクリアすることにより、車両移動後の受信エリアでは、再度全てのＥＯＮ局をサーチ対象に戻すことが可能になる。【００３１】
以上説明のようにこの発明の実施の形態１に係るＦＭ多重放送受信装置によれば、ＥＯＮ局のサーチ処理を実施する前に、放送エリアが限定され、前回サーチで発見できなかった放送局をサーチ対象から除外するようにしたため、受信不能な放送局へのサーチによる不要な音声ミュートの発生頻度を低減することができ、利便性の向上がはかれる。【００３２】
なお、上記した実施の形態１では、ＥＯＮ局のサーチに一度失敗しただけでＥＯＮ割込み禁止フラグ２１１に値“１”をセットし、当該ＥＯＮ局をＥＯＮ割込み禁止状態に設定しているが、ｎ回（ｎは任意に設定）失敗するまではサーチ対象としておき、ｎ回失敗したときにはじめてＥＯＮ割込み禁止状態に設定してもよい。
また、上記した実施の形態１によれば、放送エリアが限定された地域コードを有し、かつ前回サーチで放送局を発見できなかった放送局のサーチを実施しないようにしたが、どのような地域コードを持つ放送局であっても、少なくとも一度サーチに失敗するまではサーチ対象となる。さらに、サーチ頻度を低減するため、放送エリアが限定された地域コードを持つｎ個の放送局サーチに成功した時点で、少なくともｎ個のＲＤＳ割込みが可能となっているため、以降、他の放送エリアの限定された地域コードを持つ放送局はサーチ対象とせず、サーチに成功した放送局だけをサーチ対象としてもよい。【００３３】
なお、上記した実施の形態１ではＦＭ多重放送受信装置として、ＲＤＳ受信機のみ例示したが、米国で普及しているＲＢＤＳをはじめ、同様の構成を有するＦＭ多重放送受信装置全般に適用が可能である。
また、図３に示す制御部２０が有する構成ブロックの機能は、全てをソフトウェアによって実現しても、あるいはその少なくとも一部をハードウェアで実現してもよい。例えば、主制御部２００と、ＰＩコード検出部２０１と、地域コード検出部２０２と、ＥＯＮ割込み判定部２０３と、ミュート制御部２０４と、サーチ制御部２０５のそれぞれにおけるデータ処理は、１または複数のプログラムによりコンピュータ上で実現してもよく、また、その少なくとも一部をハードウェアで実現してもよい。
【産業上の利用可能性】
【００３４】
以上のように、この発明に係るＦＭ多重放送受信装置は、受信中の放送局と異なる放送局が受信不可である場合に以降のサーチ対象から除外するようにして不要な音声ミュートを低減したので、移動により放送局のサービスエリアから外れることがある車載用ラジオ受信装置などに用いるのに適している。
【図１】
2009008113.tif 000003
【図２】
2009008113.tif 000004
【図３】
2009008113.tif 000005
【図４】
2009008113.tif 000006
【国際調査報告】
2009008113.tif 000007
2009008113.tif 000008
2009008113.tif 000009
2009008113.tif 000010